(57)【要約】【課題】ハウジングの入口に止血弁を配置しているため、点滴回路等のオスコネクターを止血弁に挿入する際に、抵抗が大きく術者に違和感を与えてしまう。【解決手段】カテーテル基１の先端側に連結されたカテーテルチューブ２と、前記カテーテル基１内の中腹部に配設された止血弁３と、該止血弁３の開閉操作をすべく前記カテーテル基内に摺動自在に配設されたプッシャー４とを備える。止血弁３は、前端面中央に弁孔スリット３ａを形成し、後端開口側にプッシャー受部３ｂを形成せしめる。プッシャー受部３ｂは、プッシャー４の外周を摺動可能かつ抜け止め状態に保持する。また、止血弁３の外周には、エア抜溝３ｃ、３ｃを形成する。このエア抜溝３ｃ、３ｃは、止血弁３が空気抵抗が無くカテーテル基１内を円滑に摺動できるように空気抜きする。【選択図】      図１
2011115630.tif 000002
【特許請求の範囲】
【請求項１】
先端および後端を有し、前記後端側が前記後端の外部から挿入されるオスコネクターを受容して接続すべく構成された構造を有する中空のカテーテル基と、
前記カテーテル基の前記先端に連結されたカテーテルチューブと、
前記カテーテル基内に配設された可撓性を有する止血弁と、
先端および後端を有し、内部通路に内針を挿通でき、かつ、前記オスコネクターと接続して前記止血弁に対して押し込まれるべく構成された構造を有し、前記止血弁の開閉操作をすべく前記カテーテル基内に摺動自在に配設された中空のプッシャーとを備え、
前記止血弁は、前記プッシャーの外周を包持するプッシャー受部を有する、
ことを特徴とする留置用カテーテル。
【請求項２】
請求項１に記載の留置用カテーテルにおいて、
前記カテーテル基は、内周面にメスルアテーパーを有する、
ことを特徴とする留置用カテーテル。
【請求項３】
請求項１乃至２の何れかに記載の留置用カテーテルにおいて、
前記止血弁は、エア抜溝を備えてなる、
ことを特徴とする留置用カテーテル。
【請求項４】
請求項１乃至３の何れかに記載の留置用カテーテルにおいて、
前記プッシャーは、前記カテーテル基の長手方向に相対的に移動可能な状態で前記止血弁に嵌装されている、
ことを特徴とする留置用カテーテル。
【請求項５】
請求項１乃至４の何れかに記載の留置用カテーテルにおいて、
前記プッシャーを前記止血弁から遠ざかる方向へ付勢せしめる、スプリング、蛇腹、ゴムおよび板バネよりなる群から選択されたいずれかの弾性部材を備えている、
ことを特徴とする留置用カテーテル。
【請求項６】
請求項５に記載の留置用カテーテルにおいて、
前記弾性部材は、前記止血弁に一体化してある、
ことを特徴とする留置用カテーテル。
【請求項７】
請求項１乃至６の何れかに記載の留置用カテーテルにおいて、
前記プッシャーの後端部に位置する拡径部は、前記カテーテル基に内接している、
ことを特徴とする留置用カテーテル。
【請求項８】
請求項１乃至７の何れかに記載の留置用カテーテルにおいて、
前記プッシャーは、前記止血弁から抜け止めされるべく前記プッシャー受部と係合する環状突起を有する、
ことを特徴とする留置用カテーテル。
【請求項９】
請求項１乃至８の何れかに記載の留置用カテーテルにおいて、
前記カテーテルチューブと前記止血弁と前記プッシャーとはこの順で前記カテーテル基内に先端側から後端側へ整列している、
ことを特徴とする留置用カテーテル。
【発明の詳細な説明】
【技術分野】
【０００１】
本発明は、人工透析若しくは輸液、輸血などに使用される留置用カテーテルの改良に関し、更に詳しくは、内針を抜去した際、カテーテル基からの漏血を防ぐことができるのみならず、頗る簡単な手段でもって、オスコネクターを接続する際の抵抗感を極力小さくすることを可能にした操作性の良い留置用カテーテルに存する。
【背景技術】
【０００２】
従来、斯かる留置用カテーテルとしては、例えば、特許文献１に開示されたものが従来例として周知である。この従来の留置用カテーテルは、細長い部材を血管組織へ導入し、止血を提供しながら血管組織を通る前記細長い部材の操作を容易にするための医療用挿入機器であって、貫通して伸びる内部管腔を有する第１のハウジングと、該ハウジングの前記内部管腔内に配置された止血弁と、前記ハウジング内に配置される内部通路を有するシャトル管と、前記シャトル管が前記弁を開状態に偏らせる時に、止血を維持する止血維持手段とを具備し、前記内部通路は前記ハウジングの前記内部管腔と流体を通すように連絡し、前記シャトル管は前記弁を開状態に偏らせるように適合されている。
【先行技術文献】
【特許文献】
【０００３】
【特許文献１】特開平１１−４８９４号公報
【発明の概要】
【発明が解決しようとする課題】
【０００４】
しかしながら、上述した特開平１１−４８９４号公報に開示されている留置用カテーテルにあっては、ハウジングの入口に止血弁を配置しているため、点滴回路等のオスコネクターを止血弁に挿入する際に、抵抗が大きく術者に違和感を与えてしまうといった問題を有する。
【０００５】
本発明は、このような従来の問題点に鑑みてなされたもので、内針を抜去した際、カテーテル基からの漏血を防ぐことができるのみならず、頗る簡単な手段でもって、オスコネクターを接続する際の抵抗感を極力小さくすることを可能にした、操作性の良い留置用カテーテルの提供を目的としたものである。
【課題を解決するための手段】
【０００６】
上述の如き従来の問題点を解決し、所期の目的を達成するための本発明は、先端および後端を有し、前記後端側が前記後端の外部から挿入されるオスコネクターを受容して接続すべく構成された構造を有する中空のカテーテル基と、前記カテーテル基の前記先端に連結されたカテーテルチューブと、前記カテーテル基内に配設された可撓性を有する止血弁と、先端および後端を有し、内部通路に内針を挿通でき、かつ、前記オスコネクターと接続して前記止血弁に対して押し込まれるべく構成された構造を有し、前記止血弁の開閉操作をすべく前記カテーテル基内に摺動自在に配設された中空のプッシャーとを備え、前記止血弁は、前記プッシャーの外周を包持するプッシャー受部を有する留置用カテーテルに存する。
【０００７】
また、前記カテーテル基は、内周面にメスルアテーパーを有するのが良く、前記止血弁にエア抜溝を備えるのが良い。
【０００８】
更に、前記プッシャーは、前記カテーテル基の長手方向に相対的に移動可能な状態で前記止血弁に嵌装されているのが良い。
【０００９】
更に、前記プッシャーを前記止血弁から遠ざかる方向へ付勢せしめる、スプリング、蛇腹、ゴムおよび板バネよりなる群から選択されたいずれかの弾性部材を備えるのが良く、また前記弾性部材は、前記止血弁に一体化してあるのが良く、前記プッシャーの後端部に位置する拡径部は、前記カテーテル基に内接しているのが良い。また前記プッシャーは、前記止血弁から抜け止めされるべく前記プッシャー受部と係合する環状突起を有するのが良い。さらに前記カテーテルチューブと前記止血弁と前記プッシャーとはこの順で前記カテーテル基内に先端側から後端側へ整列しているのが良い。
【発明の効果】
【００１０】
このように構成される本発明の留置用カテーテルは、先端および後端を有し、前記後端側が前記後端の外部から挿入されるオスコネクターを受容して接続すべく構成された構造を有する中空のカテーテル基と、前記カテーテル基の前記先端に連結されたカテーテルチューブと、前記カテーテル基内に配設された可撓性を有する止血弁と、先端および後端を有し、内部通路に内針を挿通でき、かつ、前記オスコネクターと接続して前記止血弁に対して押し込まれるべく構成された構造を有し、前記止血弁の開閉操作をすべく前記カテーテル基内に摺動自在に配設された中空のプッシャーとを備え、前記止血弁は、前記プッシャーの外周を包持するプッシャー受部を有することによって、穿刺時（内針抜去前）は、図１に示すように、内針が、プッシャー、止血弁を貫通してカテーテルチューブの先端から針先を臨ませ（穿刺可能状態）、穿刺後（内針抜去時）は、図２に示すように、止血弁が再封止（閉弁）されて漏血を防止すると共に（止血状態）、図３に示すように、カテーテル基の後方からオスコネクターを接続することで、プッシャーが止血弁を貫通して前方位置で係止し、同プッシャーが同位置にとどまるため、オスコネクターを抜いても止血機能は発現することはなく、カテーテル基とカテーテルチューブとの導通状態が維持されることとなる（図４参照）。
【００１１】
また、前記止血弁は、前記プッシャーの外周を包持するプッシャー受部を有することによって、止血弁とプッシャーとを一体的に組み付けし得ることとなる。
【００１２】
また、前記カテーテル基の内周面にメスルアテーパーを有することにより、オスコネクターのオスルアテーパーとの接続がなし易くなると共に、同オスコネクターの押圧力に応じて両テーパー面（合わせ面）の密着性（気密性）が増すため、両部材（カテーテル基とオスコネクター）の安易な抜け落ちが阻止されると共に、導通状態での両部材間からの意に反した漏血や血液感染等の危惧をも防止し得ることとなる。
【００１３】
更に、前記止血弁がエア抜溝を備えることによって、カテーテル基内を空気抵抗無く移動し得ることとなる。
【００１４】
また、前記プッシャーが、前記カテーテル基の長手方向に相対的に移動可能な状態で前記止血弁に嵌装されていることにより、プッシャーと一体的に組み付けし得ることとなる。
【００１５】
更に、前記プッシャーを前記止血弁から遠ざかる方向へ付勢せしめる、スプリング、蛇腹、ゴムおよび板バネよりなる群から選択されたいずれかの弾性部材を備えることによって、前述したように、穿刺後の内針抜去時に漏血を防止し、オスコネクター挿入時にカテーテル基とカテーテルチューブとが導通するが、止血弁とプッシャーとの間に弾性部材を介在しているため、オスコネクターを抜き去ると同時にプッシャーを強制的に初期の位置にまで押し戻し、止血弁が再封止することにより止血機能が発現し、カテーテル基とカテーテルチューブとの導通状態が遮断される。また前記プッシャーが前記プッシャー受部と係合する環状突起を有することにより、他に特段の抜け止め手段を備えることなく前記プッシャーが抜け止めされる。さらに前記カテーテルチューブと前記止血弁と前記プッシャーとはこの順で前記カテーテル基内に先端側から後端側へ整列していることにより、前記カテーテル基の後方から接続されたオスコネクターによって容易に前記プッシャーを押し込むことができ、以って前記止血弁の開閉操作が容易である。
【図面の簡単な説明】
【００１６】
【図１】本発明に係る留置用カテーテルの第１実施例（穿刺時）を示す説明図である。
【図２】同留置用カテーテルの内針抜去時（止血状態）を示す説明図である。
【図３】同留置用カテーテルの回路オスコネクター接続時（導通状態）を示す説明図である。
【図４】同留置用カテーテルの回路オスコネクター抜去時を示す説明図である。
【図５】本発明に係る留置用カテーテルの第２実施例（穿刺時）を示す説明図である。
【図６】同留置用カテーテルの内針抜去時（止血状態）を示す説明図である。
【図７】同留置用カテーテルの回路オスコネクター接続時（導通状態）を示す説明図である。
【図８】同留置用カテーテルの回路オスコネクター抜去時（再止血状態）を示す説明図である。
【図９】本発明に係る留置用カテーテルの第３実施例（穿刺時）を示す説明図である。
【図１０】同留置用カテーテルの内針抜去時（止血状態）を示す説明図である。
【図１１】同留置用カテーテルの回路オスコネクター接続時（導通状態）を示す説明図である。
【図１２】同留置用カテーテルの回路オスコネクター抜去時（再止血状態）を示す説明図である。
【発明を実施するための形態】
【００１７】
次に、本発明の第１実施例を図１乃至図４を参照しながら説明する。図中Ａは、本発明に係る留置用カテーテルであり、この留置用カテーテルＡは、図１に示すように、長手方向両端が開口された中空のカテーテル基１と、該カテーテル基１の先端側に連結されたカテーテルチューブ２と、前記カテーテル基１内の中腹部に配設された止血弁３と、該止血弁３の開閉操作をすべく前記カテーテル基内に摺動自在に配設されたプッシャー４とを備えている。
【００１８】
カテーテル基１は、合成樹脂材等の適宜素材から筒状に成形されており、内周面に先端に向かうに連れて次第に狭くなるメスルアテーパー１ａが形成されている。
【００１９】
また、このカテーテル基１は、手技の際、同カテーテル基１内が透視できるように、透明若しくは半透明な素材で形成するのが良い。
【００２０】
更に、カテーテルチューブ２は、ポリアミド樹脂等の適宜素材にて成形されており、基端側がカテーテル基１の内部と連通する先端管腔１ｂ内に圧入されている。
【００２１】
また、このカテーテルチューブ２の全部又は一部に、皮膚及び血管への刺入抵抗を小さくするための潤滑性コーティングを施しておくのが好ましい。
【００２２】
更に、止血弁３は、合成樹脂材等の可撓性材料から断面逆コ字状に成形されており、前端面中央に弁孔スリット３ａが形成されていると共に、後端開口側にプッシャー受部３ｂが形成されている。
【００２３】
前記弁孔スリット３ａは、プッシャー４が未接触の時に水密に閉弁し（止血状態）、同プッシャー４が貫通されることにより、前方に突出摺動すべく開弁しカテーテルチューブ２と導通される。
【００２４】
また、前記プッシャー受部３ｂは、プッシャー４の外周を包持すべく外接されており、後述するプッシャー４の先端側に周設された環状突起４ｃと係合することにより、同プッシャー４を摺動可能かつ抜け止め状態に保持している。
【００２５】
更に、止血弁３の外周には、エア抜溝３ｃ、３ｃが形成されている。このエア抜溝３ｃ、３ｃは、止血弁３の保持位置にあって、後述する縮径内腔部１ｃとメスルアテーパー１ａ内とを連通すべく形成されており、止血弁３が空気抵抗無く縮径内腔部１ｃ内を円滑に摺動できるように空気抜きするものである。
【００２６】
一方、プッシャー４は、内部通路を有する合成樹脂管等の適宜素材からなり、所定長さのプッシャー筒部４ａと、該プッシャー筒部４ａの後端側に内設されたテーパー状の拡径部４ｂと、前記プッシャー筒部４ａの外周に突設された環状突起４ｃとを備えている。
【００２７】
また、プッシャー筒部４ａの先端側は、止血弁３の弁孔スリット３ａに貫通し易いように先端側が細く面取りされており、前記止血弁３のプッシャー受部３ｂを介して摺動自在に支持されている。
【００２８】
更に、拡径部４ｂは、同プッシャー４の内部通路に内針５を簡単に挿通できるようにテーパー状に拡径しており、また、メスルアーテーパー１ａに内接することにより、プッシャー４のぐらつきを阻止し、カテーテルチューブ２と同心位置に整合案内する働きを有する。
【００２９】
このように構成される本実施例の留置用カテーテルＡは、まず、カテーテルチューブ２の先端から内針５の先端が突出した状態で、患者の身体に穿刺（刺針）されるものであり（図１参照）、同チューブ２を体内に刺し置いた状態で、内針５を抜去し（図２参照）、然る後、カテーテル基１の後端側から回路オスコネクター６を接続することでプッシャー４が押し込まれると共に、止血弁３の弁孔スリット３ａを貫通した状態でカテーテルチューブ２に導通される（図３参照）。
【００３０】
換言すれば、穿刺時（内針抜去前）は、止血弁３が、カテーテル基１内の縮径内腔部１ｃとの段差１ｄと環状突起１ｅに係止された状態（保持位置）で、内針５が、プッシャー４、弁孔スリット３ａを貫通してカテーテルチューブ２の先端から針先５ａを臨ませ（穿刺可能状態）、穿刺後（内針抜去時）は、止血弁３の弁孔スリット３ａが弾性力で再封止（閉弁）され、漏血を防止する（止血状態）。
【００３１】
次いで、カテーテル基１の後方から回路オスコネクター６を接続することで、プッシャー４が強制的に押し込まれながら止血弁３を貫通すると共に、止血弁３を前方のカテーテル基１内の突当位置１ｆで係止して同プッシャー４が同位置にとどまるため、回路オスコネクター６を抜いても止血機能は発現することはなく、カテーテル基１とカテーテルチューブ２との導通状態が維持されるのである（導通状態）。
【００３２】
次に、本発明に係る留置用カテーテルの第２実施例を図５乃至図８を参照しながら説明する。尚、理解を容易にするため、前述した第１実施例と同一部分は同一符号で示し、構成の異なる処のみを新たな番号を付して以下に説明する。
【００３３】
前記プッシャー４を止血弁３から遠ざかる方向へ付勢せしめるコイルスプリング（弾性部材）７を備えている。このコイルスプリング７は、止血弁３とプッシャー４との間に介在されている。
【００３４】
このように構成される本実施例の留置用カテーテルＢは、カテーテル基１の後方から回路オスコネクター６を接続することで、プッシャー４がコイルスプリング７の付勢力に抗して強制的に前方に押し込まれながら止血弁３を貫通すると共に、止血弁３を前方のカテーテル基１内の突当位置１ｆで係止して同プッシャー４を同位置にとどめ、カテーテル基１とカテーテルチューブ２とを導通状態に維持せしめる（図７参照）。
【００３５】
次いで、回路オスコネクター６を抜き去ると同時に、プッシャー４がコイルスプリング７の撥條力で強制的に初期の位置にまで押し戻され、止血弁３が再封止することにより止血機能が発現し、カテーテル基１とカテーテルチューブ２との導通状態が確実に遮断されるのである（図８参照）。
【００３６】
次に、本発明に係る留置用カテーテルの第３実施例を図９乃至図１２を参照しながら説明する。尚、理解を容易にするため、前述した第１実施例と同一部分は同一符号で示し、構成の異なる処のみを新たな番号を付して以下に説明する。
【００３７】
前記コイルスプリング７に代えて、蛇腹（弾性部材）８を備えている。この蛇腹８は、止血弁３と一体に形成された筒状の蛇腹からなり、プッシャー４を後方に付勢せしめるべく止血弁３とプッシャー４との間に介在されている。
【００３８】
尚、本発明の留置用カテーテルＡ乃至Ｃは、本実施例に限定されることなく、本発明の目的の範囲内で自由に設計変更し得るものであり、本発明はそれらの全てを包摂するものである。例えば、本実施例では、弾性部材にコイルスプリング７，蛇腹８を使用しているが、これに限定されることなく、止血弁３そのものを弾性力のある例えば、ゴム等の伸縮性素材で形成したり、その他、板バネ等の伸縮手段を採用しても良い。
【００３９】
（発明の効果）
本発明は上述のように構成され、先端および後端を有し、前記後端側が前記後端の外部から挿入されるオスコネクターを受容して接続すべく構成された構造を有する中空のカテーテル基と、前記カテーテル基の前記先端に連結されたカテーテルチューブと、前記カテーテル基内に配設された可撓性を有する止血弁と、先端および後端を有し、内部通路に内針を挿通でき、かつ、前記オスコネクターと接続して前記止血弁に対して押し込まれるべく構成された構造を有し、前記止血弁の開閉操作をすべく前記カテーテル基内に摺動自在に配設された中空のプッシャーとを備え、前記プッシャーの外周を包持するプッシャー受部を有することによって、穿刺時（内針抜去前）は、内針が、プッシャー、止血弁を貫通してカテーテルチューブの先端から針先を臨ませ（穿刺可能状態）、穿刺後（内針抜去時）は、止血弁が再封止（閉弁）されて漏血を防止すると共に（止血状態）、カテーテル基の後方からオスコネクターを接続することで、プッシャーが止血弁を貫通して前方位置で係止し、同プッシャーが同位置にとどまるため、オスコネクターを抜いても止血機能は発現することはなく、カテーテル基とカテーテルチューブとの導通状態が維持されるため、止血弁を備えながら従来の手技を変えることなく、また、操作性を殆ど損ねない留置用カテーテルを提供できるものである。
【００４０】
また、前記止血弁は、前記プッシャーの外周を包持するプッシャー受部を有することによって、止血弁とプッシャーとを一体的に組み付けし得ることとなる。
【００４１】
また、前記カテーテル基の内周面にメスルアテーパーを有することにより、オスコネクターのオスルアテーパーとの接続がなし易くなると共に、同オスコネクターの押圧力に応じて両テーパー面（合わせ面）の密着性（気密性）が増すため、両部材（カテーテル基とオスコネクター）の安易な抜け落ちが阻止できると共に、導通状態での両部材間からの意に反した漏血や血液感染等の危惧をも防止できるため、留置針としての安全性及び商品価値を更に高めることができるといった効果を奏する。
【００４２】
更に、前記止血弁が、エア抜溝を備えることによって、カテーテル基内を空気抵抗無く移動できるといった効果を奏するものである。
【００４３】
また、前記プッシャーが、前記カテーテル基の長手方向に相対的に移動可能な状態で前記止血弁に嵌装されていることにより、止血弁との必要以上の遊離が阻止できるため、無駄なく、正確に止血弁の開閉操作ができるといった効果を奏するものである。
【００４４】
更に、前記止血弁は、少なくともプッシャーの先端側を摺動自在に支持するためのプッシャー受部を設けてなることによって、プッシャーと一体的に組み付けできるといった効果を奏するものである。
【００４５】
また、前記プッシャーを前記止血弁から遠ざかる方向へ付勢せしめる、スプリング、蛇腹、ゴムおよび板バネよりなる群から選択されたいずれかの弾性部材を備えることによって、オスコネクターを抜き去ると同時にプッシャーが強制的に初期の位置にまで押し戻され、止血弁が再封止されるため、止血機能が発現し、カテーテル基とカテーテルチューブとの導通状態が確実に遮断できるといった効果を奏するものである。
【００４６】
このように本発明は、内針を抜去した際、カテーテル基からの漏血を防ぐことができると共に、オスコネクターを接続する際の抵抗感を極力小さくすることを可能にした、操作性の良い留置用カテーテルを提供できるものであり、また、構成が単純であるため大量生産に適し、価格も低廉なものとして需要者に提供できるなど、本発明を実施することはその実益的価値が甚だ大である。
【符号の説明】
【００４７】
１  カテーテル基
１ａ  メスルアテーパー
１ｂ  先端管腔
１ｃ  縮径内腔部
１ｄ  段差
１ｅ  環状突起
１ｆ  突当位置
２  カテーテルチューブ
３  止血弁
３ａ  弁孔スリット
３ｂ  プッシャー受部
３ｃ  エア抜溝
４  プッシャー
４ａ  プッシャー筒部
４ｂ  拡径部
４ｃ  環状突起
５  内針
５ａ  針先
６  回路オスコネクター
６ａ  オスルアテーパー
７  コイルスプリング
８  蛇腹
【図１】
2011115630.tif 000003
【図２】
2011115630.tif 000004
【図３】
2011115630.tif 000005
【図４】
2011115630.tif 000006
【図５】
2011115630.tif 000007
【図６】
2011115630.tif 000008
【図７】
2011115630.tif 000009
【図８】
2011115630.tif 000010
【図９】
2011115630.tif 000011
【図１０】
2011115630.tif 000012
【図１１】
2011115630.tif 000013
【図１２】
2011115630.tif 000014